(57)【要約】【課題】蓄電池を支持する支持部材に対する蓄電池カバーの組み付けを容易に行なうことができるとともに蓄電装置のレイアウトの自由度を向上する。【解決手段】蓄電池２２と、蓄電池２２を支持するための上面２１ａを有する冷却板２１と、冷却板２１上に設定された取付位置に取り付けられることにより蓄電池２２を被覆可能な蓄電池カバー２３とを備えている。蓄電池カバー２３は、外側壁３０と、外側壁３０から冷却板２１の上面２１ａに沿って外側に延びるとともに冷却板２１に取り付けられる取付部３２と、蓄電池カバー２３を取付位置に位置決めする位置決め部３３とを備えている。取付部３２は、冷却板２１の上面２１ａと直交する軸回りの一部の範囲のみに設けられ、位置決め部３３は、軸回りで取付部３２が設けられている範囲以外の範囲に設けられているとともに冷却板２１の上面２１ａと平行する方向に冷却板２１と接触する接触面３３ｄを有する。【選択図】図５
2014011101.tif 000002
【特許請求の範囲】
【請求項１】
建設機械に設けられる蓄電装置であって、
蓄電池と、
前記蓄電池を下から支持するための上面を有する支持部材と、
前記支持部材上に設定された取付位置に取り付けられることにより、前記支持部材上に支持された蓄電池を上方及び側方から被覆可能な蓄電池カバーとを備え、
前記蓄電池カバーは、前記取付位置に取り付けられた状態で前記蓄電池を側方から覆う外側壁と、前記外側壁から前記支持部材の上面に沿って外側に延びるとともに前記取付位置において前記支持部材の上面に接触した状態で前記支持部材に取り付けられる取付部と、前記蓄電池カバーを前記取付位置に位置決めする少なくとも１つの位置決め部とを備え、
前記取付部は、前記支持部材の上面と直交する軸回りの一部の範囲のみに設けられ、前記位置決め部は、前記軸回りで前記取付部が設けられている範囲以外の範囲に設けられているとともに前記支持部材の上面と平行する方向に前記支持部材と接触する接触面を有する、蓄電装置。
【請求項２】
前記位置決め部は、前記外側壁から下に延びる部分により構成され、
前記接触面は、前記取付位置において前記支持部材の側端面に接触する、請求項１に記載の蓄電装置。
【請求項３】
前記支持部材には、上方に開口する凹部が形成され、
前記位置決め部は、前記凹部に上から挿入可能となるように、前記外側壁から下に延びる部分により構成され、
前記接触面は、前記凹部の内側面に接触する、請求項１に記載の蓄電装置。
【請求項４】
前記位置決め部は、弾性部と、前記接触面が前記支持部材と接触することにより前記弾性部が弾性変形するように前記支持部材との間で弾性部を挟圧する挟圧部とをさらに備えている、請求項１〜３の何れか１項に記載の蓄電装置。
【請求項５】
前記蓄電池カバーは、前記位置決め部を２つ有し、
前記各位置決め部の接触面は、互いに直交する、請求項１〜４の何れか１項に記載の蓄電装置。
【請求項６】
ベースフレームと、
左右方向に互いに対向するとともに前後方向に延びるように、前記ベースフレームの左右両端から外れた位置で前記ベースフレーム上に立設された第１縦板及び第２縦板と、
前記各縦板の間で前記各縦板に起伏可能に支持された作業アタッチメントと、
前記ベースフレーム上で前記第１縦板を基準として第２縦板と反対側の位置に設けられた、請求項２に記載の蓄電装置と、
前記蓄電装置を前記第１縦板と反対側の側方から覆う被覆部材とを備え、
前記被覆部材は、前から見る視点において上に向かうに従い前記第１縦板側に近接するように傾斜する傾斜部を有し、前記蓄電装置は、前記位置決め部が前記第１縦板に向くとともに前記取付部が前記傾斜部に向くように配置されている、建設機械。
【発明の詳細な説明】
【技術分野】
【０００１】
本発明は、蓄電池と、蓄電池を下から支持する支持部材と、蓄電池を上方及び側方から覆うように前記支持部材に取り付けられた蓄電池カバーとを有する蓄電装置及びこれを備えた建設機械に関するものである。
【背景技術】
【０００２】
従来から、例えば、特許文献１に記載のキャパシタモジュールが知られている。このキャパシタモジュールは、キャパシタセル（蓄電池）と、キャパシタセルが載置された冷却板（支持部材）と、キャパシタセルを上から覆うように冷却板の上面に取り付けられた上カバー（蓄電池カバー）とを備えている。
【０００３】
前記上カバーは、キャパシタセルを上方及び側方から被覆する被覆部と、被覆部の開口端から外側に延びるフランジ部とを備えている。上カバーは、フランジ部の下面のみが冷却板の上面に接触した状態で冷却板に取り付けられている。フランジ部は、被覆部の開口端の全周にわたり設けられている。また、フランジ部には、ボルトを上下方向に挿通させるための孔部が形成されているとともに、この孔部に挿通されたボルトを上下方向に挿通させるための挿通孔が冷却板に形成されている。
【先行技術文献】
【特許文献】
【０００４】
【特許文献１】特開２００８−１８７０４６号公報（特に段落００４７）
【発明の概要】
【発明が解決しようとする課題】
【０００５】
しかしながら、特許文献１に記載のキャパシタモジュールでは、移動範囲の制約を受けずに冷却板の上面に上カバーが載置されているとともに、フランジ部が被覆部の開口端の全周にわたり設けられている。そのため、上カバーを冷却板に取り付ける作業が煩雑になるとともに、キャパシタモジュールのレイアウトの自由度が低いという問題がある。
【０００６】
具体的に、冷却板に上カバーを取り付ける場合、ボルトを挿通させるためにフランジ部の孔部と冷却板の孔部とを位置合わせする必要がある。しかしながら、上カバーは、移動範囲の制約を受けずに冷却板の上面に載置されているので、冷却板に対して上カバーが水平方向の全ての方向に移動可能である。そのため、フランジ部の孔部と冷却板の挿通孔とを位置合わせするのが困難である。
【０００７】
また、前記フランジ部が被覆部の開口端の全周にわたり設けられている。そのため、上から見る視点において、上カバーの大きさが被覆部の全周にわたる範囲で大きくなり、これに伴い冷却板も大きくなる。したがって、キャパシタモジュールの上から見たときの大きさが大きくなり、周囲に設けられる機器との関係でキャパシタモジュールのレイアウトが制限される。
【０００８】
本発明の目的は、蓄電池を支持する支持部材に対する蓄電池カバーの組み付けを容易に行なうことができるとともに蓄電装置のレイアウトの自由度を向上することにある。
【課題を解決するための手段】
【０００９】
上記課題を解決するために、本発明は、建設機械に設けられる蓄電装置であって、蓄電池と、前記蓄電池を下から支持するための上面を有する支持部材と、前記支持部材上に設定された取付位置に取り付けられることにより、前記支持部材上に支持された蓄電池を上方及び側方から被覆可能な蓄電池カバーとを備え、前記蓄電池カバーは、前記取付位置に取り付けられた状態で前記蓄電池を側方から覆う外側壁と、前記外側壁から前記支持部材の上面に沿って外側に延びるとともに前記取付位置において前記支持部材の上面に接触した状態で前記支持部材に取り付けられる取付部と、前記蓄電池カバーを前記取付位置に位置決めする少なくとも１つの位置決め部とを備え、前記取付部は、前記支持部材の上面と直交する軸回りの一部の範囲のみに設けられ、前記位置決め部は、前記軸回りで前記取付部が設けられている範囲以外の範囲に設けられているとともに前記支持部材の上面と平行する方向に前記支持部材と接触する接触面を有する、蓄電装置を提供する。
【００１０】
本発明では、外側壁から外側に延びる取付部が支持部材の上面と直交する軸回りの一部の範囲のみに設けられている。つまり、前記軸回りの一部において取付部を省略することができる。これにより、被覆部の全周にわたりフランジ部が形成された従来の構成と比較して、上から見る視点における蓄電池カバーの大きさを小さくすることができ、これに伴い支持部材も小さくすることができる。したがって、本発明によれば、上から見た蓄電装置の大きさを小さくすることができるため、蓄電装置のレイアウトの自由度を向上することができる。
【００１１】
また、本発明では、前記軸回りで取付部が設けられている範囲以外の範囲に、位置決め部が設けられている。そして、位置決め部は、取付位置において支持部材の上面と平行する方向に支持部材に接触する接触面を有する。この接触面により、支持部材の上面に沿った蓄電池カバーの移動が取付位置で規制される。そのため、移動範囲の制約を受けずに冷却板の上面に載置された上カバーを冷却板の上面に沿って移動させることにより、上カバーと冷却板との位置を合わせる従来のキャパシタモジュールと比べて、支持部材に対する蓄電池カバーの位置決めが容易になる。したがって、本発明によれば、支持部材に対する蓄電池カバーの組み付けを容易に行なうことができる。
【００１２】
前記蓄電装置において、前記位置決め部は、前記外側壁から下に延びる部分により構成され、前記接触面は、前記取付位置において前記支持部材の側端面に接触することが好ましい。
【００１３】
この態様では、外側壁から下に延びる位置決め部の接触面が支持部材の側端面に接触する。つまり、支持部材の側端面のうち接触面に接触する部分は、位置決め部の内側に配置される。これにより、上から見て支持部材の一部が蓄電池カバーの下に隠れるように、支持部材の大きさを縮小することができる。そのため、被覆部の全周にわたり形成されたフランジを載置することができる大きさを有する従来の冷却板と比較して、支持部材を小さくすることができる。
【００１４】
前記蓄電装置において、前記支持部材には、上方に開口する凹部が形成され、前記位置決め部は、前記凹部に上から挿入可能となるように、前記外側壁から下に延びる部分により構成され、前記接触面は、前記凹部の内側面に接触することが好ましい。
【００１５】
この態様では、支持部材の凹部に上から挿入可能となるように外側壁から下に延びる部分によって位置決め部が構成されている。そのため、位置決め部を凹部に挿入することにより蓄電池カバーを支持部材に位置決めすることができる。また、この態様では、凹部から支持部材の側縁部までの範囲を蓄電池カバーの外側壁から取付部が延びる範囲よりも小さく設定することにより、取付部が外側壁の全周にわたり設けられている場合と比較して、支持部材を小さくすることができる。
【００１６】
前記蓄電装置において、前記位置決め部は、弾性部と、前記接触面が前記支持部材と接触することにより前記弾性部が弾性変形するように前記支持部材との間で弾性部を挟圧する挟圧部とをさらに備えていることが好ましい。
【００１７】
この態様では、接触面が支持部材に接触することにより挟圧部と支持部材との間で弾性部が弾性変形する。これにより、蓄電池カバーが取付位置に位置決めされた状態において支持部材と位置決め部との間に隙間が形成されるのを抑制することができる。そのため、蓄電池カバーが支持部材に取り付けられた状態で、支持部材と位置決め部との間を通って蓄電池カバー内に異物（水及び塵等）が入り込むのを抑制することができる。
【００１８】
前記蓄電装置において、前記蓄電池カバーは、前記位置決め部を２つ有し、前記各位置決め部の接触面は、互いに直交することが好ましい。
【００１９】
この態様では、互いに直交する２つの接触面が設けられている。これにより、各接触面を支持部材に接触させることにより、支持部材の上面上における蓄電池カバーの位置を二次元的（２方向）に合わせることができる。
【００２０】
また、本発明は、ベースフレームと、左右方向に互いに対向するとともに前後方向に延びるように、前記ベースフレームの左右両端から外れた位置で前記ベースフレーム上に立設された第１縦板及び第２縦板と、前記各縦板の間で前記各縦板に起伏可能に支持された作業アタッチメントと、前記ベースフレーム上で前記第１縦板を基準として第２縦板と反対側の位置に設けられた、請求項４に記載の蓄電装置と、前記蓄電装置を前記第１縦板と反対側の側方から覆う被覆部材とを備え、前記被覆部材は、前から見る視点において上に向かうに従い前記第１縦板側に近接するように傾斜する傾斜部を有し、前記蓄電装置は、前記位置決め部が前記第１縦板に向くとともに前記取付部が前記傾斜部に向くように配置されている、建設機械を提供する。
【００２１】
本発明では、位置決め部が第１縦板に向くとともに取付部が傾斜部に向くように、蓄電装置が配置されている。これにより、ベースフレームの幅寸法を小さくすることができるとともに被覆部材により制限された範囲内に蓄電装置を効率的に配置することができる。
【００２２】
具体的に、被覆部材の傾斜部は、前から見る視点において上に向かうに従い第１縦板側に近接するように傾斜する。これに対し、蓄電装置の取付部が設けられている側では、前から見て外側壁の下の位置で外側壁よりも外側に支持部材が突出している。そのため、取付部が傾斜部に向くように配置することにより、支持部材及び蓄電池カバーを傾斜部に沿って配置することができる。一方、蓄電装置の位置決め部が設けられている側では、前から見て蓄電池カバーの外側壁と支持部材の側端面とが上下方向に並べて配置されている。そのため、位置決め部が第１縦板に向くように蓄電装置を配置することにより、取付部が第１縦板に向くように蓄電装置を配置する場合と比較して、蓄電装置を第１縦板に近づけることができる。したがって、ベースフレームの幅寸法を小さくすることができる。
【発明の効果】
【００２３】
本発明によれば、蓄電池を支持する支持部材に対する蓄電池カバーの組み付けを容易に行なうことができるとともに蓄電装置のレイアウトの自由度を向上することができる。
【図面の簡単な説明】
【００２４】
【図１】本発明の第１実施形態に係る建設機械の全体構成を示す右側面図である。
【図２】図１に示す建設機械の駆動系を示す概略図である。
【図３】図１に示す建設機械の正面一部断面図である。
【図４】図３に示す蓄電装置の平面図である。
【図５】図４のV−V線断面図である。
【図６】図５の一部を拡大して示す断面図である。
【図７】第２実施形態に係る蓄電装置を示す平面図である。
【図８】図７のVIII−VIII線断面図である。
【図９】第３実施形態に係る蓄電装置を示す図６相当図である。
【図１０】第４実施形態に係る蓄電装置を示す図５相当図である。
【発明を実施するための形態】
【００２５】
以下添付図面を参照しながら、本発明の実施の形態について説明する。なお、以下の実施の形態は、本発明を具体化した一例であって、本発明の技術的範囲を限定する性格のものではない。
【００２６】
（第１実施形態）
図１を参照して、第１実施形態に係る建設機械の一例としてのハイブリッドショベル１について説明する。ハイブリッドショベル１は、クローラ２ａを有する下部走行体２と、下部走行体２上に旋回可能に設けられた上部旋回体３と、上部旋回体３に対して起伏可能に支持された作業アタッチメント４とを備えている。まず、作業アタッチメント４について説明する。
【００２７】
作業アタッチメント４は、上部旋回体３に起伏可能に支持された基端部を有するブーム５と、ブーム５の先端部に回動可能に支持された基端部を有するアーム６と、アーム６の先端部に回動可能に支持されたバケット７とを備えている。また、作業アタッチメント４は、上部旋回体３に対してブーム５を起伏させるブームシリンダ８と、ブーム５に対してアーム６を回動させるアームシリンダ９と、アーム６に対してバケット７を回動させるバケットシリンダ１０とを備えている。
【００２８】
次に、図２を参照して、ハイブリッドショベル１の機能について説明する。
【００２９】
ハイブリッドショベル１は、エンジン１５の動力及び蓄電池２２の電力を用いて油圧アクチュエータＡｃを作動させる。具体的に、エンジン１５の出力軸には、発電電動機１６及び可変容量式の油圧ポンプ１７が接続されている。発電電動機１６は、インバータ１９の制御によって、エンジン１５の動力により発電する発電機として機能し、又は、蓄電池２２の電力により電動機として機能する。発電電動機１６により発電された電力は、蓄電池２２に充電される。また、蓄電池２２の電力により発電電動機１６が電動機として作動することにより、エンジン１５の駆動がアシストされる。油圧ポンプ１７は、エンジン１５及び／又は発電電動機１６からの動力を受けることにより、作動油を吐出する。油圧ポンプ１７から吐出された作動油は、制御弁１８を介して油圧アクチュエータＡｃに導かれる。本実施形態に係る油圧アクチュエータＡｃは、ブームシリンダ８、アームシリンダ９、バケットシリンダ１０、及び上部旋回体を旋回させる旋回モータ（図示せず）が含まれる。また、蓄電池２２とインバータ１９との間には、蓄電池２２と発電電動機１６との間で電力をやりとりするための動力線２５と、蓄電池２２の状態量（例えば、充電量）をインバータ１９に伝えるための外部制御線２７とが設けられている。
【００３０】
以下、図２及び図３を参照して、上部旋回体３の構成について説明する。
【００３１】
上部旋回体３は、下部走行体２に対して旋回可能に取り付けられたアッパーフレーム（ベースフレーム）１１と、アッパーフレーム１１上にそれぞれ設けられた、右縦板（第１縦板）１２Ａ、左縦板（第２縦板）１２Ｂ、キャブ１４、エンジン１５、発電電動機１６、油圧ポンプ１７、制御弁１８、インバータ１９、蓄電装置２０、動力線２５、外部制御線２７、及び、外装パネル（被覆部材）４６を備えている。なお、以下の説明では、キャブ１４内のシートに着座したオペレータから見た前後左右方向を用いて説明する。
【００３２】
右縦板１２Ａ及び左縦板１２Ｂは、左右方向に互いに対向するとともに前後方向に延びるように、アッパーフレーム１１の左右両端から外れた位置でアッパーフレーム１１上に立設されている。具体的に、各縦板１２Ａ、１２Ｂは、アッパーフレーム１１の左右方向の略中央位置に設けられている。作業アタッチメント４は、各縦板１２Ａ、１２Ｂの前部同士の間で各縦板１２Ａ、１２Ｂに起伏可能に支持されている。
【００３３】
インバータ１９及び蓄電装置２０は、アッパーフレーム１１の右前部上に設けられている。具体的に、インバータ１９及び蓄電装置２０は、右縦板１２Ａを基準として左縦板１２Ｂと反対の位置（右縦板１２Ａの右側の位置）に設けられている。また、本実施形態では、アッパーフレーム１１上にインバータ１９が載置され、インバータ１９の上に蓄電装置２０が載置されている。
【００３４】
図３〜図５を参照して、インバータ１９は、実質的に直方体に形成されている。また、インバータ１９は、図４に示すように、その４つの側面がそれぞれ前後左右方向に向くように配置されている。
【００３５】
蓄電装置２０は、インバータ１９上に設けられた冷却板（支持部材）２１と、冷却板２１上に設けられた蓄電池２２と、蓄電池２２を上方及び側方から覆うように冷却板２１に取り付けられた蓄電池カバー２３と、蓄電池カバー２３内に設けられているとともに蓄電池２２に電気的に接続されたバスバー２４と、蓄電池２２に電気的に接続された内部制御線２６と、内部制御線２６の端部に接続されたコネクタ２８とを備えている。
【００３６】
冷却板２１は、蓄電池２２を冷却するためのものである。具体的に、冷却板２１は、内部に形成された冷媒用通路を有し、この冷媒用通路を流れる冷媒が蓄電池２２から熱を奪うことによって蓄電池２２を冷却する。また、冷却板２１は、前後左右方向にそれぞれ沿うように配置された側面を有する実質的に直方体に形成されている。具体的に、冷却板２１は、右に向く右側面２１ｂと、左に向く左側面２１ｃと、前に向く前側面２１ｄと、後ろに向く後側面２１ｅとを有する。また、冷却板２１は、蓄電池２２を下から支持するための上面２１ａを有する。
【００３７】
蓄電池２２は、冷却板２１の上面２１ａ上に載置された電池本体２２ａと、電池本体２２ａの左側面の上部から左に向けて突出する端子２２ｂとを備えている。
【００３８】
蓄電池カバー２３は、蓄電池２２を側方から覆う外側壁３０と、蓄電池２２の上に設けられているとともに蓄電池２２を上から見る視点で外側壁３０の内側位置で上下方向に延びる内側壁３１と、外側壁３０の下部に設けられた取付部３２及び位置決め部３３と、外側壁３０の上部と内側壁３１の下部とを連結する肩部３４と、内側壁３１内に設けられたコネクタ支持部３５と、内側壁３１の上部に着脱可能な蓋体２９とを備えている。
【００３９】
外側壁３０は、上下方向に沿った軸回りの全周にわたり蓄電池２２を側方から覆う壁である。具体的に、外側壁３０は、右に向く右側壁３６と、左に向く左側壁３７と、前に向く前側壁３８と、後ろに向く後側壁３９とを備えている。
【００４０】
内側壁３１は、上下方向に沿った軸回りの全周にわたり設けられた壁である。具体的に、内側壁３１は、右に向く右側内壁４０と、左に向く左側内壁４１と、前に向く前側内壁４２と、後ろに向く後側内壁４３とを備えている。右側内壁４０には、後述する外部制御線２７を通すための貫通穴４０ａが形成されている。また、左側内壁４１には、後述する動力線２５を通すための貫通穴４１ａが形成されている。また、内側壁３１には、各壁４０〜４３の内側の領域を上方に開放するための開口部４４（図５参照）が形成されている。開口部４４は、内側壁３１の上部に蓋体２９を着脱することによって開閉可能である。
【００４１】
取付部３２は、蓄電池カバー２３を冷却板２１の上面２１ａに取り付けるためのものである。また、取付部３２は、外側壁３０の下端部のうち上下方向に沿った軸回りの一部の範囲のみに設けられている。さらに、取付部３２は、外側壁３０から冷却板２１の上面２１ａに沿って外側に延びるとともに冷却板２１の上面２１ａに接触した状態で冷却板２１に取り付けられる。具体的に、取付部３２は、外側壁３０の右側壁３６の下端部から右側に延びる右側フランジ３２ａと、外側壁３０の前側壁３８の下端部から前側に延びる前側フランジ３２ｂと、外側壁３０の後側壁３９の下端部から後側に延びる後側フランジ３２ｃとを備えている。各フランジ３２ａ〜３２ｃには、それぞれボルトＢ１を上から通すための図外の挿通孔が形成されている。ボルトＢ１の下端部は、冷却板２１に形成された図外の雌ねじに螺合される。つまり、冷却板２１の雌ねじは、取付部３２を取り付けるための取付位置を定義する。
【００４２】
図６を参照して、位置決め部３３は、蓄電池カバー２３を冷却板２１の取付位置に位置決めするためのものである。また、位置決め部３３は、外側壁３０の下端部のうち上下方向に沿った軸回りで前記取付部３２が設けられた範囲以外の範囲に設けられている。具体的に、位置決め部３３は、外側壁３０の左側壁３７の下端部から下に延長された延長部３３ａと、延長部３３ａの下端部に対して内側（右側）から折り重ねられた折り返し部３３ｂと、折り返し部３３ｂの上で延長部３３ａの内側に設けられた弾性部３３ｃとを備えている。延長部３３ａ及び折り返し部３３ｂは、１枚の金属板に対して曲げ加工（例えば、ヘミング曲げ）を行なうことにより形成することができる。本実施形態では、折り返し部３３ｂの内側面（右側面）は、冷却板２１の上面２１ａと平行する方向に冷却板２１に接触する接触面３３ｄを構成する。具体的に、接触面３３ｄは、冷却板２１の左側面（側端面）２１ｃに対して左側から接触する。この接触により、蓄電池カバー２３は、冷却板２１に対して左右方向に位置決めされる。具体的に、前記各フランジ３２ａ〜３２ｃに形成されたボルトＢ１用の挿通孔（図示せず）と、冷却板２１に形成された雌ねじ部（図示せず）とを左右方向に位置決めすることができる。弾性部３３ｃは、延長部３３ａと冷却板２１の左側面２１ｃとの間を異物（水及び塵等）が通るのを抑制する。具体的に、弾性部３３ｃは、延長部３３ａと冷却板２１の左側面２１ｃとの間で弾性変形した状態で両者の間に挟持されている。
【００４３】
上述のように、本実施形態では、蓄電池カバー２３の左側の取付部（フランジ）に代えて蓄電池カバー２３の左側に位置決め部３３が設けられている。これにより、蓄電池カバー２３の左右両側にフランジを設ける場合と比較して、蓄電装置２０を左右方向に小さくすることができる。そのため、蓄電装置２０を右縦板１２Ａに対してより近接した位置に配置することができる。具体的に、蓄電装置２０は、図２及び図５に示すように、外側壁３０の左側壁３７とインバータ１９の左側面とが前から見る始点において上下方向に並ぶように、インバータ１９に対して位置決めされている。
【００４４】
また、上述のように、蓄電装置２０がインバータ１９上で左寄りに配置されていることにより、蓄電装置２０を外装パネル４６内に効率的に配置することができる。具体的に、外装パネル４６は、蓄電装置２０及びインバータ１９を上から覆う天板４６ａと、アッパーフレーム１１の右側縁から立ち上がる側板４６ｂと、側板４６ｂの上端部と天板４６ａの右端部とを連結する傾斜板（傾斜部）４６ｃとを備えている。天板４６ａは、上から見る視点で側板４６ｂよりも左側の範囲に設けられている。そのため、傾斜板４６ｃは、上に向かうに従い左に傾斜する。これに対し、上述のように、蓄電装置２０をインバータ１９上で左寄りに配置することにより、蓄電池カバー２３の外側壁３０（右側壁３６）をインバータ１９の右側面よりも左側に配置することができる。したがって、インバータ１９を側壁４６ｂの左側に配置するとともに蓄電装置２０を傾斜板４６ｃの左側に配置することができる。
【００４５】
さらに、蓄電装置２０は、位置決め部３３が右縦板１２Ａに向くとともに取付部３２の右側フランジ３２ａが傾斜板４６ｃに向くように配置されている。これにより、アッパーフレーム１１の幅寸法を小さくすることができるとともに外装パネル４６により制限された範囲内で蓄電装置２０を効率的に配置することができる。具体的に、蓄電装置２０の右側フランジ３２ａが設けられている側では、前から見て外側壁３０の下の位置で外側壁３０よりも外側に冷却板２１が突出している。そのため、右側フランジ３２ａが傾斜板４６ｃに向くように配置することにより、冷却板２１及び蓄電池カバー２３を傾斜板４６ｃに沿って配置することができる。一方、蓄電装置２０の位置決め部３３が設けられている側では、前から見て蓄電池カバー２３の外側壁３０と冷却板２１の右側面２１ｂとが上下方向に並べて配置されている。そのため、位置決め部３３が第１縦板１２Ａに向くように蓄電装置２０を配置することにより、取付部３２が第１縦板１２Ａに向くように蓄電装置２０を配置する場合と比較して、蓄電装置２０を第１縦板１２Ａに近づけることができる。したがって、アッパーフレーム１１の幅寸法を小さくすることができる。
【００４６】
図５を参照して、バスバー２４は、蓄電池２２の端子２２ｂの左側面に接続された端子接続部２４ａと、端子接続部２４ａの上端部から右側に延びる延設部２４ｂと、延設部２４ｂの右端部から上に延びる嵩上げ部２４ｃと、嵩上げ部２４ｃの上端に設けられた取付部２４ｄとを備えている。取付部２４ｄは、蓄電池２２よりも上でかつ貫通穴４１ａと同等の高さ位置で動力線２５の基端部を取付可能である。具体的に、取付部２４ｄの高さ位置は、端子接続部２４ａ及び嵩上げ部２４ｃの長さによって調整される。
【００４７】
内部制御線２６は、蓄電池２２とコネクタ２８とを電気的に接続する。コネクタ２８は、蓄電池２２よりも上でかつ貫通穴４０ａと同等の高さ位置で外部制御線２７を取付可能である。具体的に、コネクタ２８の高さ位置は、蓄電池カバー２３の内側壁３１内に設けられたコネクタ支持部３５によるコネクタ２８の支持位置によって調整される。
【００４８】
本実施形態では、バスバー２４が動力線２５に対する導通部材を構成するとともに、内部制御線２６及びコネクタ２８が外部制御線２７に対する導通部材を構成する。また、コネクタ２８は、外部制御線２７に対する取付部を構成する。
【００４９】
動力線２５は、蓄電池２２に電気的に接続された基端部と、インバータ１９に電気的に接続された先端部とを有する。具体的に、動力線２５の基端部は、バスバー２４の取付部２４ｄに対して電気的に接続されている。また、動力線２５は、取付部２４ｄから貫通穴４１ａを通って蓄電池カバー２３の内側から外側に導出されるように実質的に水平に延びる水平部２５ａと、蓄電池カバー２３の外側で下向きに曲げられた屈曲部２５ｂと、屈曲部２５ｂから下向きに延びる延設部２５ｃとを有する。動力線２５のうち延設部２５ｃよりも先端側の部分は、図４に示すように、インバータ１９の前側に導かれて、インバータ１９に接続されている。屈曲部２５ｂの一部は、蓄電池２２を上から見る視点で外側壁３０の内側の範囲と重なる位置に設けられている。具体的に、屈曲部２５ｂの一部は、図３に示すように、内側壁３１の左側内壁４１と外側壁３０の左側壁３７との間の範囲Ｅ１内に設けられている。延設部２５ｃは、屈曲部２５ｂから蓄電池カバー２３の外側壁３０（左側壁３７）及びインバータ１９の左側面に沿って延びる。具体的に、延設部２５ｃは、前から見る視点において上下方向に並べられた蓄電池カバー２３の外側壁３０（左側壁３７）及びインバータ１９の左側面と右縦板１２Ａとの間の範囲Ｅ２を通って配線されている。
【００５０】
図５に示すように、外部制御線２７は、蓄電池２２に接続される基端部と、インバータ１９に電気的に接続された先端部とを有する。具体的に、外部制御線２７の基端部は、コネクタ２８に接続可能な図外のコネクタに接続されている。また、外部制御線２７は、その基端部から貫通穴４０ａを通って蓄電池カバー２３の内側から外側に導出されるように実質的に水平に延びる水平部２７ａと、蓄電池カバー２３の外側で下向きに曲げられた屈曲部２７ｂと、屈曲部２７ｂから下向きに延びる延設部２７ｃとを有する。外部制御線２７のうち延設部２７ｃよりも先端側の部分は、図４に示すように、インバータ１９の前側に導かれて、インバータ１９に接続されている。屈曲部２７ｂの一部は、蓄電池２２を上から見る視点で外側壁３０の内側の範囲Ｅ３と重なる位置に設けられている。具体的に、屈曲部２７ｂの一部は、図３に示すように、内側壁３１の右側内壁４０と外側壁３０の右側壁３６との間の範囲Ｅ３内に設けられている。延設部２７ｃは、屈曲部２７ｂから蓄電池カバー２３の外側壁３０（右側壁３６）に沿って延びる。具体的に、延設部２７ｃは、前から見る視点において蓄電池カバー２３の外側壁３０（右側壁３６）と外装パネル４６の傾斜板４６ｃとの間の範囲Ｅ４（蓄電池カバー２３の上面の仮想延長線と傾斜板４６ｃとの交点と蓄電池カバー２３との間の範囲）を通じて下向きに延びる。
【００５１】
前記実施形態では、外側壁３０から外側に延びる取付部３２が冷却板２１の上面２１ａと直交する軸回りの一部の範囲のみに設けられている。つまり、前記軸回りの一部において取付部３２を省略することができる。これにより、被覆部の全周にわたりフランジ部が形成された従来の構成と比較して、上から見る視点における蓄電池カバー２３の大きさを小さくすることができ、これに伴い冷却板２１も小さくすることができる。したがって、前記実施形態によれば、上から見た蓄電装置２０の大きさを小さくすることができるため、蓄電装置２０のレイアウトの自由度を向上することができる。
【００５２】
また、前記実施形態では、前記軸回りで取付部３２が設けられている範囲以外の範囲に、位置決め部３３が設けられている。そして、位置決め部３３は、取付位置において冷却板２１の上面２１ａと平行する方向に冷却板２１に接触する接触面３３ｄを有する。この接触面３３ｄにより、冷却板２１の上面２１ａに沿った蓄電池カバー２３の移動が取付位置で規制される。そのため、移動範囲の制約を受けずに冷却板の上面に載置された上カバーを冷却板の上面に沿って移動させることにより、上カバーと冷却板との位置を合わせる従来のキャパシタモジュールと比べて、冷却板２１に対する蓄電池カバー２３の位置決めが容易になる。したがって、前記実施形態によれば、冷却板２１に対する蓄電池カバー２３の組み付けを容易に行なうことができる。
【００５３】
前記実施形態では、接触面３３ｄが冷却板２１に接触することにより延長部３３ａと冷却板２１との間で弾性部３３ｃが弾性変形する。これにより、蓄電池カバー２３が取付位置に位置決めされた状態において冷却板２１と位置決め部３３との間に隙間が形成されるのを抑制することができる。そのため、蓄電池カバー２３が冷却板２１に取り付けられた状態で、冷却板２１と位置決め部３３との間を通って蓄電池カバー２３内に異物（水及び塵等）が入り込むのを抑制することができる。
【００５４】
前記実施形態では、外側壁３０から下に延びる位置決め部３３の接触面３３ｄが冷却板２１の左側面２１ｃに接触する。つまり、冷却板２１の側端面のうち接触面に接触する部分（左側面２１ｃ）は、位置決め部３３の内側に配置される。これにより、上から見て冷却板２１の一部が蓄電池カバー２３の下に隠れるように、冷却板２１の大きさを縮小することができる。そのため、被覆部の全周にわたり形成されたフランジを載置することができる大きさを有する従来の冷却板と比較して、冷却板２１を小さくすることができる。
【００５５】
（第２実施形態）
以下、第２実施形態に係る蓄電装置２０について図７及び図８を参照して説明する。なお、第１実施形態と同様の構成については同一の符号を付して、その説明を省略する。
【００５６】
第２実施形態に係る蓄電装置２０では、蓄電池カバー２３が前記後側フランジ３２ｃに代えて位置決め部４７を備えている。
【００５７】
位置決め部４７は、蓄電池カバー２３の外側壁３０（後側壁３９）の下端部から下に延長された延長部４７ａと、延長部４７ａの下端部に対して内側（前側）から折り重ねられた折り返し部４７ｂと、折り返し部４７ｂの上で延長部４７ａの内側に設けられた弾性部４７ｃとを備えている。延長部４７ａ及び折り返し部４７ｂは、１枚の金属板に対して曲げ加工（例えば、ヘミング曲げ）を行なうことにより形成することができる。本実施形態では、折り返し部４７ｂの内側面は、冷却板２１の上面２１ａと平行する方向に冷却板２１に接触する接触面４７ｅを構成する。接触面４７ｅは、前記接触面３３ｄと直交する。具体的に、接触面４７ｅは、冷却板２１の後側面（側端面）２１ｅに対して後側から接触する。この接触により、蓄電池カバー２３は、冷却板２１に対して前後方向に位置決めされる。具体的に、前記各フランジ３２ａ、３２ｂに形成されたボルトＢ１用の挿通孔（図示せず）と、冷却板２１に形成された雌ねじ部（図示せず）とを前後方向に位置決めすることができる。したがって、位置決め部３３及び位置決め部４７によって、挿通孔と雌ねじ部とを前後左右方向に位置決めすることができる。
【００５８】
また、本実施形態では、延長部４７ａ及び折り返し部４７ｂには、ボルトＢ２を後ろから挿通するための挿通穴４７ｄが形成されている。これにより、位置決め部４７を取付部としても兼用することができる。具体的に、ボルトＢ２の前端部は、冷却板２１の後側面２１ｅに形成された図外の雌ねじ部に螺合する。なお、挿通穴４７ｄと雌ねじ部とは、前記位置決め部３３によって前後方向に位置決めされる。
【００５９】
弾性部４７ｃは、延長部４７ａと冷却板２１の後側面２１ｅとの間を異物（水及び塵等）が通るのを抑制する。具体的に、弾性部４７ｃは、延長部４７ａと冷却板２１の後側面２１ｅとの間で弾性変形した状態で両者の間に挟持されている。
【００６０】
前記実施形態では、互いに直交する２つの接触面３３ｄ、４７ｅが設けられている。これにより、各接触面を支持部材に接触させることにより、支持部材の上面上における蓄電池カバーの位置を二次元的（２方向）に合わせることができる。
【００６１】
なお、前記実施形態では、２つの位置決め部３３、４７にそれぞれ接触面３３ｄ、４７ｅを設けた例について説明したが、これに限定されない。例えば、１つの位置決め部に互いに直交する２つの接触面を設けてもよい。
【００６２】
（第３実施形態）
以下、第３実施形態に係る蓄電装置２０について図９を参照して説明する。なお、前記各実施形態と同様の構成については同一の符号を付して、その説明を省略する。
【００６３】
第３実施形態に係る蓄電装置２０では、蓄電池カバー２３が前記位置決め部３３に代えて位置決め部４８を有するとともに、冷却板２１の上面２１ａには、スリット（凹部）２１ｆが形成されている。
【００６４】
位置決め部４８は、蓄電池カバー２３の左側壁３７の下端部から下に延長された延長部４８ａと、延長部４８ａの内側（右側）に設けられた弾性部４８ｂとを備えている。
【００６５】
スリット２１ｆは、上に開口するとともに前後方向に延びる溝である。また、スリット２１ｆは、延長部４８ａ及び弾性部４８ｂを挿入可能な左右方向の幅寸法を有する。具体的に、スリット２１ｆの幅寸法は、延長部４８ａとスリット２１ｆの内側面との間で弾性部４８ｂを弾性変形させた状態で、位置決め部４８を挿入可能な寸法に設定されている。これにより、スリット２１ｆ内に位置決め部４８が挿入されることにより、延長部４８ａとスリット２１ｆの内側面との間を異物が通るのを抑制することができる。
【００６６】
本実施形態では、延長部４８ａの外側面（左側面）は、冷却板２１の上面２１ａと平行する方向に冷却板２１に接触する接触面４８ｃを構成する。具体的に、接触面４８ｃは、スリット２１ｆの右に向く内側面に対して右側から接触する。この接触により、蓄電池カバー２３は冷却板２１に対して左右方向に位置決めされる。
【００６７】
また、本実施形態では、前記各実施形態と異なり、折り返し部３３ｂ、４７ｂを省略することにより、曲げ加工を省略することができる。
【００６８】
なお、第２及び第３実施形態では、位置決め部を蓄電池カバー２３の左側及び後側に設けることを例示したが、これらに限定されない。位置決め部は、前後左右方向の何れの方向に設けることもできる。この場合、位置決め部を取付部として兼用することもできる。
【００６９】
前記実施形態では、冷却板２１のスリット２１ｆに上から挿入可能となるように外側壁３０から下に延びる部分によって位置決め部４８が構成されている。そのため、位置決め部４８をスリット２１ｆに挿入することにより蓄電池カバー２３を冷却板２１に位置決めすることができる。また、実施形態では、スリット２１ｆから冷却板２１の側縁部（左側縁部）までの範囲を蓄電池カバー２３の外側壁３０から取付部３２が延びる範囲よりも小さく設定することにより、取付部３２が外側壁３０の全周にわたり設けられている場合と比較して、冷却板２１を小さくすることができる。
【００７０】
（第４実施形態）
以下、第４実施形態に係る蓄電装置２０について図１０を参照して説明する。なお、前記各実施形態と同様の構成について同一の符号を付してその説明を省略する。
【００７１】
第４実施形態に係る蓄電装置２０では、蓄電池２２が端子２２ｂに代えて端子２２ｃを有するとともに、前記バスバー２４に代えてバスバー４５が設けられている。
【００７２】
端子２２ｃは、電池本体２２ａの上面に設けられている。
【００７３】
バスバー２４は、端子２２ｃの上面に接続された端子接続部４５ａと、端子接続部４５ａの左端部から上に延びる嵩上げ部４５ｂと、嵩上げ部４５ｂの上端に設けられた取付部４５ｃとを備えている。取付部４５ｃは、蓄電池２２よりも上でかつ貫通穴４１ａと同等の高さ位置で動力線２５の基端部を取付可能である。具体的に、取付部４５ｃの高さ位置は、嵩上げ部４５ｂの長さによって調整される。
【００７４】
第４実施形態においても、取付部４５ｃが貫通穴４１ａと同等の高さ位置で電線を取付可能であるため、取付部４５ｃから貫通穴４１ａまでの範囲において、動力線２５の水平部２５ａを実質的に水平に配置することができる。
【００７５】
なお、第１及び第４実施形態では、端子が電池本体２２ａの上面又は左側面に設けられている例について説明したが、これに限定されない。電池本体２２ａに対する端子の位置にかかわらず、端子に接続された電線（動力線２５及び外部制御線２７）が内側壁３１の貫通穴４０ａ、４１ａを通して蓄電池カバー２３の内側から外側に導出されていればよい。
【００７６】
また、前記各実施形態では、蓄電装置２０を有する建設機械としてハイブリッドショベル１を説明したが、蓄電装置２０を設ける建設機械は、これに限定されない。例えば、エンジンを有さずに蓄電池の電力によって駆動する電動建設機械に対して蓄電装置２０を採用することもできる。
【符号の説明】
【００７７】
１  ハイブリッドショベル（建設機械）
４  作業アタッチメント
１１  アッパーフレーム（ベースフレーム）
１２Ａ  右縦板
１２Ｂ  左縦板
２０  蓄電装置
２１  冷却板（支持部材）
２１ａ  上面
２１ｃ  左側面（側端面）
２１ｅ  後側面（側端面）
２１ｆ  スリット（凹部）
２２  蓄電池
２３  蓄電池カバー
３０  外側壁
３２  取付部
３３、４７、４８  位置決め部
３３ａ、４７ａ、４８ａ  延長部（挟圧部）
３３ｃ、４７ｃ、４８ｂ  弾性部
３３ｄ、４７ｅ、４８ｃ  接触面
４６  外装パネル（被覆部材）
４６ｃ  傾斜板（傾斜部）
【図１】
2014011101.tif 000003
【図２】
2014011101.tif 000004
【図３】
2014011101.tif 000005
【図４】
2014011101.tif 000006
【図５】
2014011101.tif 000007
【図６】
2014011101.tif 000008
【図７】
2014011101.tif 000009
【図８】
2014011101.tif 000010
【図９】
2014011101.tif 000011
【図１０】
2014011101.tif 000012